(57)【要約】【課題】本発明は、ピンを介して他部材を固定する際、ピンの両側に各テーパ部を形成し、上・下部に非テーパ部を形成して、両側方向にはガタなしとし、上・下方向には若干のガタを許容することを目的とする。【解決手段】本発明による他部材固定構造は、他部材(2)に形成された孔(15)に挿入されるピン(3)の先端部(10)は、その両側に形成された各テーパ部(11,12)と、その上・下側に形成された各非テーパ部(13,14)とからなり、各テーパ部(11,12)は孔(15)の孔テーパ部(15a)に係合している構成である。【選択図】図１
2007321893.tif 000002
【特許請求の範囲】
【請求項１】
本体(1)の少なくとも一側(1a)にピン(3)を介して他部材(2)を取付けるようにした他部材固定構造において、前記他部材(2)に形成された孔(15)に挿入される前記ピン(3)の先端部(10)は、その両側に形成された第１、第２テーパ部(11,12)と、前記各テーパ部(11,12)に連続し前記先端部(10)の上側及び下側に形成された第１、第２非テーパ部(13,14)とからなり、前記各テーパ部(11,12)は前記孔(15)に形成された孔テーパ部(15a)に係合していることを特徴とする他部材固定構造。
【請求項２】
前記ピン(3)は前記本体(1)に設けられていることを特徴とする請求項１記載の他部材固定構造。
【請求項３】
前記ピン(3)は、複数よりなることを特徴とする請求項１又は２記載の他部材固定構造。
【請求項４】
前記ピン(3)は、前記本体(1)に設けられたピン保持部(4)により出没自在に形成されていることを特徴とする請求項１ないし３の何れかに記載の他部材固定構造。
【請求項５】
前記本体(1)の両側には、前記他部材(2)が設けられていることを特徴とする請求項１ないし４の何れかに記載の他部材固定構造。
【請求項６】
前記ピン(3)を保持するピン保持部(4)は、互いに接合して一対よりなることを特徴とする請求項１ないし５の何れかに記載の他部材固定構造。
【発明の詳細な説明】
【技術分野】
【０００１】
本発明は、他部材固定構造に関し、特に、本体にピンを介して他部材を固定する際、ピンの両側に各テーパ部を形成し、上・下側に非テーパ部を形成して、両側方向にはガタなしとし、上・下方向には若干のガタを許容するように固定するための新規な改良に関する。
【背景技術】
【０００２】
従来、用いられていたこの種の他部材固定構造としては、社内製作であるため、その構造を示す特許文献等を示していないが、固定するためのピンの先端部は丸ピンであり、丸のテーパ状、すなわち、円錐状に近い形状であった。
従って、この円錐状のピンの先端部が他部材の円錐状の孔内に係合して本体と他部材とが互いに固定されていた。
【発明の開示】
【発明が解決しようとする課題】
【０００３】
従来の他部材固定構造は、以上のように構成されていたため、次のような課題が存在していた。
すなわち、ピンの先端部が円錐状に形成されていたため、他部材の孔に係合した場合、全周方向に対してガタがなく、例えば、一方向については逃げによるガタを持たせたいとする要望には応じることが困難であった。
【課題を解決するための手段】
【０００４】
本発明による他部材固定構造は、本体の少なくとも一側にピンを介して他部材を取付けるようにした他部材固定構造において、前記他部材に形成された孔に挿入される前記ピンの先端部は、その両側に形成された第１、第２テーパ部と、前記各テーパ部に連続し前記先端部の上側及び下側に形成された第１、第２非テーパ部とからなり、前記各テーパ部は前記孔に形成された孔テーパ部に係合している構成であり、また、前記ピンは前記本体に設けられている構成であり、また、前記ピンは、複数よりなる構成であり、また、前記ピンは、前記本体に設けられたピン保持部により出没自在に形成されている構成であり、また、前記本体の両側には、前記他部材が設けられている構成であり、また、前記ピンを保持するピン保持部は、互いに接合して一対よりなる構成である。
【発明の効果】
【０００５】
本発明による他部材固定構造は、以上のように構成されているため、次のような効果を得ることができる。
すなわち、ピンの両側に各テーパ部を形成し、上・下側に非テーパ部を形成しているため、両側方向にはガタがなく、上・下方向には逃げによる若干のガタを許容することができ、上・下方向のガタを有した状態での全体への他部材の固定を行うことができる。
【発明を実施するための最良の形態】
【０００６】
本発明は、ピンを介して他部材を固定する際、ピンの両側に各テーパ部を形成し、上・下側に非テーパ部を形成し、両側方向にはガタなしとし、上・下方向には若干のガタを許容するように固定した他部材固定構造を提供することを目的とする。
【実施例】
【０００７】
以下、図面と共に本発明による他部材固定構造の好適な実施の形態について説明する。
図１において符号１で示されるものは、長手形状よりなる本体であり、この本体１の一側１ａ及び他側１ｂには、長手形状をなす他部材２が固定して設けられている。
【０００８】
前記本体１には、ピン３を出没自在に有するピン保持部４が設けられ、一対のピン保持部４は互いに接合して第１、第２ピン体５，６を構成し、各ピン体５，６は前記本体１の長手方向に沿って互いに離間した状態で配設されている。尚、前記各ピン保持部４は、電磁型又はスプリング等による機械式手段によって前記ピン３を出没自在に保持している。
【０００９】
前記ピン３の先端部１０は、前記各他部材２の内面に形成された凹状の孔１５内の孔テーパ部１５ａに係合して、前記各他部材２が本体１の一側１ａと他側１ｂに固定されるように構成されている。
【００１０】
前記各ピン３の先端部１０は、図２及び図３で示されるように構成されている。すなわち、この先端部１０の両側には第１、第２テーパ部１１，１２が形成され、前記各テーパ部１１，１２に連続し前記先端部１０の上側及び下側には第１、第２非テーパ部１３，１４が形成されている。
【００１１】
前述の構成において、前記各ピン体５，６の各ピン保持部４における各ピン３は、互いに逆方向に出没自在に設けられ、各ピン３を本体１から突出させると、各ピン３の先端部１０は各他部材２の各孔１５内に挿入されて、各テーパ部１１，１２が各孔テーパ部１５ａに係合する。
【００１２】
前述の場合、各孔１５の形状も前記先端部１０の形状に合わせて形成されているため、各テーパ部１１，１２によって横方向Ａ、すなわち、他部材２の長手方向にはガタがなく、この横方向Ａとは異なる縦方向Ｂにはテーパのない各非テーパ部１３，１４と孔１５の隙間(図示せず)によりガタが存在するように、本体１と他部材２を互いに固定することができる。
【図面の簡単な説明】
【００１３】
【図１】本発明による他部材固定構造を示す断面平面図である。
【図２】図１のピンの一部を示す拡大斜視図である。
【図３】図２の拡大正面図である。
【符号の説明】
【００１４】
１    本体
１ａ    一側
１ｂ    他側
２    他部材
３    ピン
４    ピン保持部
５    第１ピン体
６    第２ピン体
１０    先端部
１１    第１テーパ部
１２    第２テーパ部
１３    第１非テーパ部
１４    第２非テーパ部
１５    孔
１５ａ    孔テーパ部
【図１】
2007321893.tif 000003
【図２】
2007321893.tif 000004
【図３】
2007321893.tif 000005